(57)【要約】  エレベータ装置においては、かご内の積載荷重に応じた信号が秤装置により発生される。秤装置は、秤検査部により自動的に検査される。秤検査部は、かごを試験動作させるための指令を発生するとともに、試験動作により秤装置から出力される信号に基づいて、秤装置の異常を検出する。
2007055020.tif 000002
【特許請求の範囲】
【請求項１】
かご、
上記かご内の積載荷重に応じた信号を発生する秤装置、及び
上記かごを試験動作させるための指令を発生するとともに、試験動作により上記秤装置から出力される信号に基づいて、上記秤装置の異常を検出する秤検査部
を備えているエレベータ装置。
【請求項２】
上記かごの運転を制御するエレベータ制御装置をさらに備え、
上記エレベータ制御装置の制御モードには、上記秤検査部による上記秤装置の検査を自動的に行う自動検査モードが含まれている請求項１記載のエレベータ装置。
【請求項３】
上記秤検査部は、外部装置からの検査指令信号を受信することにより、上記秤装置の検査を開始する請求項１記載のエレベータ装置。
【請求項４】
駆動シーブと、上記駆動シーブを回転させるモータ部と、上記駆動シーブの回転を制動するブレーキ部とを有し、上記かごを昇降させる駆動装置、
上記駆動シーブに巻き掛けられ、上記かごを吊り下げる主索、及び
上記主索により吊り下げられている釣合おもり
をさらに備え、
上記秤検査部は、上記かごの試験動作として、上記かごの重量と上記釣合おもりの重量とがアンバランスな状態で上記ブレーキ部を開放することにより上記かごを加速させた後、上記ブレーキ部を制動動作させ、上記かごを急停止させる請求項１記載のエレベータ装置。
【請求項５】
上記秤検査部は、上記かごの試験動作として上記かごに振動を発生させ、上記秤装置からの信号の時間波形から推定される上記かごの重量に基づいて、上記秤装置の異常を検出する請求項１記載のエレベータ装置。
【請求項６】
上記秤検査部には、初期設定時に上記かごの試験動作と同様の動作を行った際の上記秤装置に関するデータが保存可能であり、
上記秤検査部は、上記かごの試験動作により上記秤装置から取得したデータと初期設定時に保存したデータとを比較することにより上記秤装置の異常を検出する請求項１記載のエレベータ装置。
【発明の詳細な説明】
【技術分野】
【０００１】
この発明は、かご内の積載荷重に応じた信号を発生する秤装置を有するエレベータ装置に関するものである。
【背景技術】
【０００２】
従来のエレベータ秤装置の検査方法では、かごに加速度センサを取り付けた後、検査員がかごに乗ってかごを振動させる。そして、秤装置から過積載信号が出力されたときの加速度センサの出力を確認することにより、秤装置の異常の有無を判定する（例えば、特許文献１参照）。【０００３】
【特許文献１】特開平９−２７２６６９号公報
【発明の開示】
【発明が解決しようとする課題】
【０００４】
上記のような従来の秤装置の検査方法では、検査時に、かごに加速度センサを取り付けたり、かごに検査員が乗り込んだりする必要があり、作業効率が低かった。【０００５】
この発明は、上記のような課題を解決するためになされたものであり、秤装置の検査の効率を向上させることができるエレベータ装置を得ることを目的とする。
【課題を解決するための手段】
【０００６】
この発明によるエレベータ装置は、かご、かご内の積載荷重に応じた信号を発生する秤装置、及びかごを試験動作させるための指令を発生するとともに、試験動作により秤装置から出力される信号に基づいて、上記秤装置の異常を検出する秤検査部を備えている。
【図面の簡単な説明】
【０００７】
【図１】この発明の実施の形態１によるエレベータ装置を示す構成図である。
【図２】図１のエレベータ制御装置の構成を示すブロック図である。
【図３】図１の秤検査部による試験動作時のかご位置及びかご速度の時間変化の一例を示すグラフである。
【図４】図１の秤検査部による試験動作時のかご加速度の時間変化の一例を示すグラフである。
【発明を実施するための最良の形態】
【０００８】
以下、この発明の好適な実施の形態について図面を参照して説明する。
実施の形態１．
図１はこの発明の実施の形態１によるエレベータ装置を示す構成図である。図において、昇降路１内には、一対のかごガイドレール（図示せず）及び一対の釣合おもりガイドレール（図示せず）が設置されている。かご３は、かごガイドレールに案内されて昇降路１内を昇降される。釣合おもり４は、釣合おもりガイドレールに案内されて昇降路１内を昇降される。【０００９】
かご３の下部には、かごガイドレールに係合してかご３を非常停止させる非常止め装置５が搭載されている。非常止め装置５は、機械的な操作により動作してかごガイドレールに押し付けられる一対の制動片を有している。【００１０】
昇降路１内の下部には、主索６を介してかご３及び釣合おもり４を昇降させる駆動装置（巻上機）７が設置されている。駆動装置７は、駆動シーブ８、駆動シーブ８を回転させるモータ部９、駆動シーブ８の回転を制動するブレーキ部１０、及び駆動シーブ８の回転に応じた検出信号を発生するモータエンコーダ１１を有している。【００１１】
ブレーキ部１０としては、例えば電磁ブレーキ装置が用いられている。電磁ブレーキ装置においては、制動ばねのばね力によりブレーキシューが制動面に押し付けられて駆動シーブ８の回転が制動されるとともに、電磁マグネットを励磁することによりブレーキシューが制動面から開離され、制動が解除される。【００１２】
かご３の下部には、一対のかご吊り車１２ａ，１２ｂが設けられている。釣合おもり４の上部には、釣合おもり吊り車１３が設けられている。昇降路１の上部には、かご側返し車１４ａ，１４ｂ及び釣合おもり側返し車１５が配置されている。また、昇降路１の上部には、第１及び第２の綱止め部１６ａ，１６ｂが固定されている。主索６は、綱止め部１６ａ，１６ｂに接続された第１及び第２の端部６ａ，６ｂを有している。【００１３】
また、主索６は、第１の端部６ａ側から順に、かご吊り車１２ａ，１２ｂ、かご側返し車１４ａ，１４ｂ、駆動シーブ８、釣合おもり側返し車１５及び釣合おもり吊り車１３に巻き掛けられている。即ち、この例では、かご３及び釣合おもり４は、２：１ローピング方式で昇降路１内に吊り下げられている。【００１４】
第１の綱止め部１６ａには、かご３内の積載荷重に応じた信号を発生する秤装置１７が設けられている。第１の端部６ａと綱止め部１６ａとの間には、かご３内の積載荷重の変化により伸縮されるシャックルばねが設けられており、秤装置１７は、シャックルばねの伸縮又は第１の端部６ａの変位に応じて信号を出力する。【００１５】
昇降路１の上部には、調速機１８が設置されている。調速機１８には、調速機シーブ、過速度検出スイッチ及びロープキャッチ等が設けられている。調速機シーブには、調速機ロープ１９が巻き掛けられている。調速機ロープ１９の両端部は、非常止め装置５の操作機構に接続されている。調速機ロープ１９の下端部は、昇降路１の下部に配置された張り車２０に巻き掛けられている。【００１６】
かご３が昇降されると、調速機ロープ１９が循環され、かご３の走行速度に応じた回転速度で調速機シーブが回転される。調速機１８では、かご３の走行速度が過速度に達したことが機械的に検出される。検出する過速度としては、定格速度よりも高い第１の過速度と、第１の過速度よりも高い第２の過速度とが設定されている。【００１７】
かご３の走行速度が第１の過速度に達すると、調速機１８の過速度検出スイッチが操作される。過速度検出スイッチが操作されると、モータ部９への電力の供給が遮断されるとともに、ブレーキ部１０により駆動シーブ８の回転が制動され、かご３が非常停止される。かご３の走行速度が第２の過速度に達すると、調速機１８のロープキャッチにより調速機ロープ１９が把持され、調速機ロープ１９の循環が停止される。調速機ロープ１９の循環が停止されると、非常止め装置５が操作されて制動動作する。【００１８】
昇降路１内の下部には、かご緩衝器２１及び釣合おもり緩衝器２２が設置されている。かご緩衝器２１は、かご３の真下に配置され、かご３が昇降路１の底部に衝突する際の衝撃を緩和する。釣合おもり緩衝器２２は、釣合おもり４の真下に配置され、釣合おもり４が昇降路１の底部に衝突する際の衝撃を緩和する。【００１９】
エレベータ装置の運行は、エレベータ制御装置２３により制御される。エレベータ制御装置２３は、駆動装置７の運転を制御する運転制御部２４と、秤装置１７の異常を検出する秤検査部２５とを有している。秤検査部２５は、かご３を試験動作させるための指令を発生するとともに、試験動作により秤装置１７から出力される信号に基づいて、秤装置１７の異常を検出する。【００２０】
図２は図１のエレベータ制御装置２３の構成を示すブロック図である。エレベータ制御装置２３は、ＣＰＵ（演算処理部）２６、メモリ（ＲＯＭ、ＲＡＭ等）２７、秤装置信号を含む外部信号が入力される入力部２８、及び外部へ信号を出力する出力部２９を有するコンピュータにより構成されている。即ち、運転制御部２４及び秤検査部２５の機能は、コンピュータにより実現される。メモリ２７には、運転制御部２４及び秤検査部２５の機能を実現するためのプログラムが格納されている。ＣＰＵ２６は、プログラムに基づいて、運転制御部２４及び秤検査部２５の機能に関する演算処理を実行する。【００２１】
次に、秤装置１７の検査方法について説明する。エレベータ装置の初期設定時には、かご３を急停止させたときの秤装置１７からの信号を確認することにより、秤装置１７が正常であるかどうかを検査する。具体的には、かご３の重量と釣合おもり４の重量とがアンバランスな状態でブレーキ部１０を開放することによりかご３を加速させた後、ブレーキ部１０を制動動作させ、かご３を急停止させる。そして、アンバランスによる加速中の秤装置信号値や、急停止後の秤装置信号の振動周波数が適正であるかどうかをチェックする。このときのチェックには、系全体の重量とかご３のアンバランス量とで決まる加速度や、ロープ系の合成とかご３及び釣合おもり４の重量とで決まるかご３の振動数等が用いられる。【００２２】
このような初期設定時の検査で秤装置１７が正常であると判定されると、そのときの秤装置信号の出力波形、又はその特徴量（アンバランス加速度に相当するバイアス値や停止後の振動周波数）等のデータがメモリ２７に保存される。【００２３】
エレベータ装置が運用されてから秤装置１７の検査を行う場合、例えば夜間など、かご３内に乗客が乗っていない状態で、かご３を試験動作させるための指令が秤検査部２５から発生される。このときの試験動作は、初期設定時の検査時と同様の動作である。試験動作の後、秤検査部２５では、メモリ２７に保存された出力波形又はその特徴量と、その試験動作により秤装置１７から出力された信号の出力波形又はその特徴量とが比較される。そして、両者の差が所定範囲内であれば秤装置１７は正常、所定範囲を超えていれば秤装置１７は異常であると判定される。秤装置１７の異常が検出されると、秤検査部２５からエラー信号が出力され、エレベータ管理室への通報、及びエレベータ装置の運転休止等の対応が行われる。【００２４】
ここで、図３は図１の秤検査部２５による試験動作時のかご位置及びかご速度の時間変化の一例を示すグラフ、図４は図１の秤検査部２５による試験動作時のかご加速度の時間変化の一例を示すグラフである。上記のようなアンバランス加速を利用した試験動作をさせた場合、かご３は図３に示すように挙動する。これにより、秤装置１７が正常であれば、秤装置１７からは図４に示すような信号が出力される。この信号から、アンバランスによる加速中の秤装置信号値や、急停止後の秤装置信号の振動周波数により推定されるかご重量が、初期設定時のデータと比較される。【００２５】
このような秤装置１７の検査は、予め設定されたタイミング又は周期で自動的に実施される。即ち、エレベータ制御装置２３の制御モードには、秤装置１７の検査を自動的に行う自動検査モードが含まれている。
また、例えば遠隔の管理盤など、外部装置からの検査指令信号を受信することにより、秤装置１７の検査を開始するようにしてもよい。【００２６】
上記のようなエレベータ装置によれば、秤検査部２５が、かご３を試験動作させるための指令を発生するとともに、試験動作により秤装置１７から出力される信号に基づいて、秤装置１７の異常を自動的に検出するので、秤装置１７の検査の効率を向上させることができる。【００２７】
また、秤検査部２５は、かご３のアンバランス加速を利用した試験動作を行うので、人手によらずかご３を容易に試験動作させることができる。
さらに、秤検査部２５は、かご３の試験動作としてかご３に振動を発生させ、秤装置１７からの信号の時間波形から推定されるかご３の重量に基づいて、秤装置１７の異常を検出するので、僅かな試験動作により秤装置１７の異常の有無を確認することができ、秤装置１７の検査を短時間で行うことができる。
さらにまた、秤検査部２５は、かご３の試験動作により秤装置１７から取得したデータと初期設定時に保存したデータとを比較することにより秤装置１７の異常を検出するので、秤装置１７の検査時には人手によるデータ入力等の作業を伴わず、検査を容易に行うことができる。【００２８】
なお、かご３の試験動作は上記の例に限定されるものではない。例えば、かご３内に乗客が乗っていない状態で自動検査モードに移行し、予め設定された区間をかごに通常走行させ、加速時及び減速時の秤装置からの信号から推定されるかごの重量を初期設定時に保存したデータと比較してもよい。【００２９】
また、秤装置や、秤装置からの信号を処理する演算回路を二重系で構成してもよく、この発明を適用することができる。
さらに、初期設定時に保存した比較基準となるデータは、人が介在して実施する定期検査等の作業時に、初期設定時と同様の検査を行って更新してもよい。これにより、主索６の伸び等の経年変化により秤装置の異常を誤検出するのを防止することができる。
さらにまた、秤装置の検出方式は、かご内負荷の変化に対して連続して出力が変化するタイプであればよく、特に限定されない。
また、秤装置の設置場所も特に限定されるものではなく、例えばかごの下部、駆動装置、又は返し車等に秤装置を設けてもよい。また、主索の端部がかごに接続されるタイプのエレベータ装置であれば、主索のかごへの接続部に秤装置を設けてもよい。
【図１】
2007055020.tif 000003
【図２】
2007055020.tif 000004
【図３】
2007055020.tif 000005
【図４】
2007055020.tif 000006
【国際調査報告】
2007055020.tif 000007
2007055020.tif 000008
2007055020.tif 000009